(57)【要約】      （修正有）【課題】奥に広がる腟内壁、殊に子宮頚部の周りの腟壁に接触することが出来、これ等の部位に効果的に指圧刺激を与えることが出来るようなマッサージ器具を提供する。【解決手段】腟内に挿入可能な形状と大きさとを有する挿入部１１と、この挿入部の根元の持ち手部１０とから成り、前記挿入部は腟内奥壁を刺激出来るように湾曲して形成されているものとした。【選択図】図１
2007296300.tif 000002
【特許請求の範囲】
【請求項１】
腟内に挿入可能な形状と大きさとを有する挿入部と、この挿入部の根元の持ち手部とから成り、前記挿入部は腟内奥壁を刺激出来るように湾曲して形成されていることを特徴とする湾曲状を呈するマッサージ器具。
【請求項２】
前記挿入部が前記持ち手部に対して屈曲自在に設けられている、請求項１に記載の湾曲状を呈するマッサージ器具。
【請求項３】
前記挿入部に振動発生部が納められている、請求項１に記載の湾曲状を呈するマッサージ器具。
【請求項４】
前記持ち手部または前記挿入部から分岐させた陰核刺激部を備えている、請求項１に記載の湾曲状を呈するマッサージ器具。
【請求項５】
前記陰核刺激部が前記持ち手部または前記挿入部に対して屈曲自在に設けられている、請求項４に記載の湾曲状を呈するマッサージ器具。
【請求項６】
前記陰核刺激部に振動発生部が納められている、請求項４に記載の湾曲状を呈するマッサージ器具。
【発明の詳細な説明】
【技術分野】
【０００１】  この発明は、夫婦生活を充実させるべく開発されたハンディータイプのマッサージ器具（感覚鍛練具である）に係り、特に腟のような器官に挿入される部位の形状が湾曲状を呈するマッサージ器具に関するものである。
【背景技術】
【０００２】  従来より夫婦生活を充実させる性感帯刺激具（感覚鍛練具）として、陰茎を模した形状の腟内に挿入するマッサージ器具が各種提案されている。これには例えば図６で表わしたマッサージ器９のように、持ち手部９０と挿入部９１とが直線上に連結されて成る単なる棒状のものや、その内部にバイブレータ（振動発生部）を内蔵して腟内に振動刺激を加えられるタイプのものなどがある。前記バイブレータは一般的には偏心重錘を有するモータが設けられて成るものであり、このモータに電池とスイッチとが接続されている。さらに前記モータの動きを細かく制御するためのコントローラが設けられたものもある。【０００３】  ところで解剖図からも明らかなように腟の入り口付近には腟括約筋があり、腟の奥の方は伸縮性に富む袋のような形状をしている。そして興奮期には奥の方が広がることが医学的に知られている。しかしながら腟自体の感覚は他の性感帯と比較してそれほど敏感ではないことが分かっている。従って上記陰茎を模した形状の性感帯刺激具では特開２００４−３２９８３４号公報にあるようなすり漕ぎ運動などの複雑な運動をする機構を備えたものも提案されている。すなわちこの種マッサージ器は腟内に挿入する柔軟な素材から成る挿入部とモータや電池やスイッチを納めたハンドル部とから成り、前記モータの回転軸に延設された緩やかなカーブを有する回転杆が前記挿入部内にあり、前記モータの回転動作に伴なって首を振るような回転を行ない、これが前記挿入部にも首振り運動を生じさせるように構成されている。
【特許文献１】特開２００４−３２９８３４号公報
【発明の開示】
【発明が解決しようとする課題】
【０００４】  しかしながら腟はその全長に亘って筒状を呈しているわけではなく、腟奥では子宮頚部が腟内に突出したような構造となっているため、腟壁はその周囲を取り囲むように膨らみ湾曲している。このことは触診でも観察される。従ってマッサージ器具も単なる棒状のものでは、その挿入部が子宮頚部の周りの腟壁に接触せずに腟内壁から浮いたような状態となり、腟奥の内壁を刺激することがほとんど出来ない。またマッサージ器具も単なる棒状のものではその挿入部が腟内壁に接触せずに腟内壁から浮いたような状態となることがある。また上述した腟内に挿入する柔軟な素材から成る挿入部とモータや電池やスイッチを納めたハンドル部とから成るマッサージ器では、前記モータの回転方向への刺激を挿入部を通して腟内壁に伝えようとするのであるが、挿入部が大きく首を振るようなことは出来ず、必ずしも腟内壁、特に腟奥内壁を十分に刺激しているとは言えずマッサージの効果も限定的なものに止まると言う問題がある。そこで膨らんだ腟内壁、殊に子宮頚部の周りの腟壁に接触して指圧のような刺激を与えることが出来れば、感覚鍛練効果が高まることは明白である。【０００５】  そこでこの発明は奥に広がる腟内壁殊に子宮頚部の周りの腟壁に接触することが出来、これ等の部位に効果的に指圧刺激を与えることが出来るような、全く新しいマッサージ器具の提供を課題とする。
【課題を解決するための手段】
【０００６】  指を曲げての触診で腟奥が広がっていることが観察されることから、上記課題は腟内に挿入可能な形状と大きさとを有する挿入部と、この挿入部の根元の持ち手部とから成り、前記挿入部は腟内奥壁を刺激出来るように湾曲して形成されているものとした。【０００７】  上述した如くの従来からある単なる棒状のマッサージ器は、腟内にただ真っ直ぐに挿入されるだけであるが、この発明の湾曲状を呈するマッサージ器具によれば腟内に挿入されると真っ直ぐには進まずに、言わば腟奥が広がっている腟壁に沿って進んで行く。従って挿入部は直接的に腟内奥壁を刺激することが出来るのである。また挿入部の根元の持ち手部を操ることで更に多彩な刺激を腟内奥壁に加えることが可能である。このようなことを従来の棒状のマッサージ器で行なうにはスリコギのような無理な運動を行なわなければならず、腟口や腟内にとってあまり好ましいことではなかったが、この発明の湾曲状を呈するマッサージ器具ではそのような問題をクリアしている。【０００８】  次に前記挿入部が前記持ち手部に対し屈曲自在に設けられているものとすることが出来る。屈曲とは形状固定ではなく曲げられると言う意味である。元々この発明のマッサージ器具は湾曲状を呈する点に特徴を有するが、更に自由に屈曲することで多彩な刺激を腟内奥壁に与えることが可能となる。なお初期形状から屈曲させても自然に形状復元させるべく付勢するために、前記挿入部と前記持ち手部との間にバネなどを介在させる構成も有効である。また挿入部と持ち手部との間で屈曲自在としたが、特に境界を設けることなく、全体的に屈曲するような構成もまたこの発明の権利範囲内である。【０００９】  また前記挿入部に振動発生部が納められているものとすることが出来る。前記挿入部による接触刺激だけでもマッサージ効果を発揮することは可能であるが、更に振動発生部から発せられる振動刺激を腟内奥壁に与えることによって一層の感覚鍛練効果を高めることが可能である。【００１０】  また前記持ち手部または前記挿入部から分岐させた陰核刺激部を備えているものとすることが出来る。この陰核刺激部は前記挿入部の先端部を前側とすれば前方に向けて設けられることになる。そして挿入部は腟内に挿入されるが、この陰核刺激部は挿入されずに、陰核に対して接触刺激を与えるものである。【００１１】  なお前記陰核刺激部が前記持ち手部または前記挿入部に対して屈曲自在に設けられているものとすることが出来る。陰核刺激部が屈曲出来ることにより更に多彩な刺激を陰核に与えることが可能である。なお初期形状から屈曲させても自然に元に戻るように付勢するために、屈曲部分にバネなどを介在させる構成も有効である。【００１２】  なお前記陰核刺激部に振動発生部が納められているものとすることが出来る。これによれば陰核に対して接触刺激のみならず、振動刺激を与えることが出来る。
【発明の効果】
【００１３】  この発明によれば、腟内に挿入可能な形状と大きさとを有する挿入部と、この挿入部の根元の持ち手部とから成り、前記挿入部は湾曲して形成されたものであるため、この湾曲した挿入部が奥に広がる腟内壁に接触することが可能で、この部位に効果的に指圧刺激を与えることが出来るようになり、所期の目的を達成している。
【発明を実施するための最良の形態】
【００１４】  以下この発明の４種の実施形態を説明するが、この発明はこれ等の実施形態にのみ限定されるものではない。【００１５】  （第１実施形態）
図１はこの発明の第１実施形態のマッサージ器具１を表わす側面図であるが、持ち手部１０の前方（すなわち腟口へ挿入する方向であり図の右方である）に挿入部１１が設けられている。この際に前記挿入部１１は挿入部１１の根元（すなわち持ち手部１０との接続部である）から前端部にかけて湾曲して形成されている。さらにこの実施形態では持ち手部１０に付いても挿入部１１の湾曲具合に合わせて湾曲されている。なお持ち手部１０も挿入部１１もシリコンゴム製である。【００１６】  持ち手部１０を手で持って挿入部１１を腟口へ挿入する。挿入部１１は腟内に挿入可能な大きさであることは言うまでもない。このマッサージ器具１が腟に挿入されると、前記挿入部１１は真っ直ぐには進まずに腟壁に沿って進むことが可能であり、腟内奥壁を刺激することが出来るのである。この際に挿入部１１の外側にはシリコンゴム製の突起１２が多数突設されているため、これによって腟内壁を刺激することが出来る。【００１７】  （第２実施形態）
図２はこの発明の第２実施形態のマッサージ器具２を表わす側面図であるが、上述した第１実施形態のマッサージ器具１に更に陰核刺激部３を突設して成る点に特徴を有する。なお図中符号２０は持ち手部、符号２１は挿入部、符号２２は突起を指す。挿入部２１の働きは上述した第１実施形態と同じである。【００１８】  陰核刺激部３はこの実施形態では持ち手部２０から分岐させたものとし、前方（すなわち陰核の方向であり図の右方である）を向くように設けている。そして挿入部１１は腟内に挿入されるが、この陰核刺激部３は挿入されずに、陰核に対して接触刺激を与えるのである。【００１９】  （第３実施形態）
図３及び図４を用いてこの発明の第３実施形態のマッサージ器具４を説明するが、この実施形態の特徴は挿入部４１が前記持ち手部４０に対して屈曲自在に設けられている点、及び陰核刺激部５を備えるが、この陰核刺激部５も前記持ち手部４０に対して屈曲自在に設けられている点にある。なお図中符号４２は挿入部４１の表面に多数突設された突起である。【００２０】  次に上述した挿入部４１を屈曲自在に設けること、及び陰核刺激部５を屈曲自在に設けることに付いて説明する。図４はこの実施形態の内部構成図であるが、持ち手部４０側の先端部に設けた連結部４３に対し、挿入部４１側の挿入芯部４４をジョイント４５を以て回動自在に連結している。図中符号４６は回動軸であるがここには図示しないコイルバネがセットされており、挿入芯部４４は外方（図の下方）へ一定範囲だけ屈曲して開くことが出来るが、コイルバネの付勢力により自然には元の方向（陰核刺激部５の方向すなわち図の上方）へ戻ろうとする。なおシリコンゴム製の挿入部４１は挿入芯部４４などを覆うカバーであると見ることが可能である。次に陰核刺激部５は回動軸５０にて持ち手部４０に回動自在に取り付けられているが、この回動軸５０にも図示しないコイルバネがセットされているため、陰核刺激部５は持ち手部４０の方向（図の左方）へ一定範囲だけ屈曲して開くことが出来るが、自然には前記コイルバネの付勢力によって元の方向（図の右方）へ戻ろうとする。このようにして内性器や外性器により柔軟に対応することが出来るのである。【００２１】  （第４実施形態）
図５はこの発明の第４実施形態のマッサージ器具６を表わす側面図であるが、上述した第３実施形態のマッサージ器具４に更に振動発生部を設けている点に特徴を有する。図中符号６０は持ち手部、符号６１は挿入部、符号７は陰核刺激部である。【００２２】  持ち手部６０の内部には電池８２が着脱自在に納められており、持ち手部６０の後端部（図の左端部）にはスイッチ８３が外部から操作可能となるように取り付けられている。また振動発生部は前記挿入芯部４４及び陰核刺激部７の内部に納められている。この実施形態の振動発生部はモータ８の回転軸８０に偏心重錘８１を取り付けて成るものであり、モータ８は前記スイッチ８３を介して前記電池８２に配線されている。【００２３】  そこで前記スイッチ８３をＯＮ状態にするとモータ５０が回転し始め、偏心重錘５２が回転軸５１に偏って固定されているために振動を発する。この振動は挿入部６１、陰核刺激部７とそれぞれの場所で発生して、外性器や内性器にバイブレーション効果を与えることが出来る。なお陰核刺激部７は外性器刺激専用であると言うことが出来る。
【産業上の利用可能性】
【００２４】  上述したように挿入部が湾曲していれば持ち手部はどうであっても良いが、挿入部から持ち手部に掛けて奇麗なカーブで湾曲するように設計することも可能である。また振動発生部を設ける場合であるが、第１実施形態や第２実施形態のマッサージ器具に振動発生部を設けるようにしても良い。また陰核刺激部を設ける場合であるが、陰核刺激部をどのような形状や大きさものとするかは任意である。また陰核刺激部に昆虫の触覚のような飾り付を施すことも可能である。
【図面の簡単な説明】
【００２５】
【図１】  この発明の第１実施形態を表わす側面図である。
【図２】  この発明の第２実施形態を表わす側面図である。
【図３】  この発明の第３実施形態を表わす側面図である。
【図４】  同実施形態の内部構成図である。
【図５】  この発明の第４実施形態を表わす側面図である。
【図６】  従来例を表わす側面図である。
【符号の説明】
【００２６】  １    マッサージ器具
１０  持ち手部
１１  挿入部
１２  突起
２    マッサージ器具
２０  持ち手部
２１  挿入部
２２  突起
３    陰核刺激部
４    マッサージ器具
４０  持ち手部
４１  挿入部
４２  突起
４３  連結部
４４  挿入芯部
４５  ジョイント
４６  回動軸
５    陰核刺激部
５０  回動軸
６    マッサージ器具
６０  持ち手部
６１  挿入部
７    陰核刺激部
８    モータ
８０  回転軸
８１  偏心重錘
８２  電池
８３  スイッチ
【図１】
2007296300.tif 000003
【図２】
2007296300.tif 000004
【図３】
2007296300.tif 000005
【図４】
2007296300.tif 000006
【図５】
2007296300.tif 000007
【図６】
2007296300.tif 000008